(57)【要約】【課題】複数のＬＥＤ基板を用いるときの点灯故障を最小限に留め、また停電時には停電灯が確実に動作するＬＥＤ照明装置を提供すること。【解決手段】複数のＬＥＤ光源１０を実装した複数のＬＥＤ基板４ａ，４ｂには、通常灯電源２０からデイジーチェーン接続にて電力が供給され、通常灯用ＬＥＤ光源１０ａ，１０ｂを点灯させる第１のドライバー回路２４ａ，２４ｂを有する。また、少なくとも１つのＬＥＤ基板４ａには、停電灯電源２１に接続されて電力が供給され、停電灯用ＬＥＤ光源１０ｃを点灯させる第２のドライバー回路２４ｃを有する。第１のドライバー回路２４ａ，２４ｂと第２のドライバー回路２４ｃは、通常灯電源２０と停電灯電源２１から独立に電力が供給される。【選択図】図５
2014089888.tif 000002
【特許請求の範囲】
【請求項１】
ＬＥＤ光源を使用し通常灯と停電灯の機能を備えたＬＥＤ照明装置において、
複数のＬＥＤ光源を実装した複数のＬＥＤ基板を配置し、
前記複数のＬＥＤ基板のそれぞれには、通常灯電源からデイジーチェーン接続にて電力が供給され、前記複数のＬＥＤ光源のうちの通常灯用ＬＥＤ光源を点灯させる第１のドライバー回路を有し、
前記複数のＬＥＤ基板の少なくとも１つには、停電灯電源に接続されて電力が供給され、前記複数のＬＥＤ光源のうちの停電灯用ＬＥＤ光源を点灯させる第２のドライバー回路を有し、
前記第１のドライバー回路と前記第２のドライバー回路は、前記通常灯電源と前記停電灯電源から独立に電力が供給されることを特徴とするＬＥＤ照明装置。
【請求項２】
ＬＥＤ光源を使用したＬＥＤ照明装置において、
複数のＬＥＤ光源を実装した複数のＬＥＤ基板を配置し、
前記複数のＬＥＤ基板には、通常灯電源からデイジーチェーン接続にて電力が供給され、前記複数のＬＥＤ光源のうちの通常灯用ＬＥＤ光源を点灯させる第１のドライバー回路を有し、
さらに前記複数のＬＥＤ基板には、前記第１のドライバー回路の電源入力側に過電流遮断用ヒューズを挿入したことを特徴とするＬＥＤ照明装置。
【請求項３】
請求項１に記載のＬＥＤ照明装置において、
前記ＬＥＤ光源はサイドビュー型のＬＥＤ素子であり、前記ＬＥＤ基板を壁面が高反射率の箱状筐体に収納するものであって、
前記ＬＥＤ基板には、前記前記ＬＥＤ光源のうちの停電灯用ＬＥＤ光源を、前記箱状筐体の壁側の位置でその出射方向が壁側を向くように、かつ前記通常灯用ＬＥＤ光源からの出射光を妨げない位置に配置したことを特徴とするＬＥＤ照明装置。
【請求項４】
請求項１に記載のＬＥＤ照明装置において、
前記ＬＥＤ光源はサイドビュー型のＬＥＤ素子であり、前記ＬＥＤ基板を壁面が高反射率の箱状筐体に収納するものであって、
前記ＬＥＤ基板には前記通常灯用ＬＥＤ光源として、出射方向が所定の方向に揃えた順方向ＬＥＤ群とともに、前記箱状筐体の壁側の位置で前記順方向ＬＥＤ群に挟まれた位置に、前記順方向ＬＥＤ群と出射方向が逆となる１列状の逆方向ＬＥＤ列を配置したことを特徴とするＬＥＤ照明装置。
【請求項５】
請求項４に記載のＬＥＤ照明装置において、
前記逆方向ＬＥＤ列の一部のＬＥＤ光源を前記停電灯用ＬＥＤ光源として兼用することを特徴とするＬＥＤ照明装置。
【発明の詳細な説明】
【技術分野】
【０００１】
本発明は、ＬＥＤ光源を使用した照明装置に関し、特にエレベータのカゴ室内等の照明に用いるのに好適なＬＥＤ照明装置に関する。
【背景技術】
【０００２】
近年、照明装置の消費電力低減のため、多数の発光ダイオード（ＬＥＤ）を光源として用いたＬＥＤ照明装置が利用されている。これに関する技術として、特許文献１には、複数の発光素子（ＬＥＤ）が配設された複数個の照明ユニットを数珠繋ぎのデイジーチェーン状に連結し、コントローラ部から照明信号を送出する構成が記載されている。また特許文献２には、エレベータのカゴ室内照明装置において通常時の照明および停電時の照明を兼用可能とするため、通常時は照明ユニットに搭載された複数のＬＥＤが点灯し、停電時は前記複数のＬＥＤのうちの一部のＬＥＤが点灯する構成が記載されている。
【先行技術文献】
【特許文献】
【０００３】
【特許文献１】特開２００９−１２９６８５号公報
【特許文献２】特開２０１２−１６６９０９号公報
【発明の概要】
【発明が解決しようとする課題】
【０００４】
エレベータのカゴ室内照明装置においては、停電発生時に一定の室内照度を確保するよう非常用（停電用）照明の設置が義務付けられている。そのために、通常灯の他に停電灯と停電用バッテリーが必要となる。発光素子としてＬＥＤを用いるとき、特許文献１のように照明ユニット（ＬＥＤ搭載基板）をデイジーチェーン接続することで、各照明ユニットに効率的に電力や信号を供給することができる。また特許文献２のように、停電時は複数のＬＥＤのうちの一部のＬＥＤを兼用して用いることで、発光素子（ＬＥＤ）数の低減を図ることができる。しかしながら、デイジーチェーン接続することで、ある照明ユニットが故障した場合、他の照明ユニットの点灯動作に影響が及ぶ恐れがある。また、停電点灯用ＬＥＤと通常点灯用ＬＥＤとを兼用する場合、ＬＥＤ素子への電力供給が干渉する恐れがある。
【０００５】
本発明の目的は、複数の照明ユニット（ＬＥＤ基板）を用いるときの点灯故障を最小限に留め、また停電時には停電灯が確実に動作するＬＥＤ照明装置を提供することにある。
【課題を解決するための手段】
【０００６】
本発明のＬＥＤ照明装置は、複数のＬＥＤ光源を実装した複数のＬＥＤ基板を配置し、前記複数のＬＥＤ基板には、通常灯電源からデイジーチェーン接続にて電力が供給され、前記複数のＬＥＤ光源のうちの通常灯用ＬＥＤ光源を点灯させる第１のドライバー回路を有し、前記複数のＬＥＤ基板の少なくとも１つには、停電灯電源に接続されて電力が供給され、前記複数のＬＥＤ光源のうちの停電灯用ＬＥＤ光源を点灯させる第２のドライバー回路を有し、前記第１のドライバー回路と前記第２のドライバー回路は、前記通常灯電源と前記停電灯電源から独立に電力が供給される構成とする。
【０００７】
また本発明のＬＥＤ照明装置は、複数のＬＥＤ光源を実装した複数のＬＥＤ基板を配置し、前記複数のＬＥＤ基板には、通常灯電源からデイジーチェーン接続にて電力が供給され、前記複数のＬＥＤ光源のうちの通常灯用ＬＥＤ光源を点灯させる第１のドライバー回路を有し、さらに前記複数のＬＥＤ基板には、前記第１のドライバー回路の電源入力側に過電流遮断用ヒューズを挿入した構成とする。
【発明の効果】
【０００８】
本発明のＬＥＤ照明装置によれば、複数の照明ユニット（ＬＥＤ基板）を用いるときの点灯故障を最小限に留め、また停電時には停電灯を確実に動作させることができる。
【図面の簡単な説明】
【０００９】
【図１】本発明によるＬＥＤ照明装置の一実施例を示す外観図である。
【図２】ＬＥＤ照明装置の分解構成図である。
【図３】ＬＥＤ基板の取り付け構造図である。
【図４】拡散板の効果を説明する図である。
【図５】ＬＥＤ基板内の回路構成図である。
【図６】複数のＬＥＤ素子の接続構成の他の例を示す図である。
【図７】ＬＥＤ光源の第１の配置例を示す図である。
【図８】ＬＥＤ光源の第２の配置例を示す図である。
【発明を実施するための形態】
【００１０】
図１は、本発明によるＬＥＤ照明装置の一実施例を示す外観図であり、左側は照射面側から見た図、右側は側面図である。図１の照明装置は、例として、エレベータのカゴ室内の天井灯として好適な照明装置を示している。ＬＥＤ照明装置１の外形は、例えば照射面は一辺が約５０〜６０ｃｍの略矩形状、厚さは約１０ｃｍとする。照射面には内部の光源等を保護するための透光性を持つシェード（照明カバー）７を有し、装置端部には通常用電源と停電用電源の電源基板を収納する電源カバー８，９を有する。
【００１１】
図２は、本実施例のＬＥＤ照明装置の分解構成図である。ＬＥＤ照明装置１は、装置を保持する金属製あるいは樹脂製のベースシャーシ（筐体）２に、反射シート３、ＬＥＤ基板４、拡散板５、パッキン６、シェード７の順に取り付ける。ＬＥＤ基板４はその照射面側に複数のＬＥＤ光源が実装され、ＬＥＤ基板４を単位（照明ユニット）として必要数だけ取り付ける。本例では２枚のＬＥＤ基板（照明ユニット）４を用いている。反射シート３は高反射率（９９％）の白色のシートで、ＬＥＤ基板４からした光のうちベースシャーシ２側に向かう光、及び拡散板５で反射されてベースシャーシ２側に戻る光を反射して拡散板５の方向へ導く。拡散板５は、その表面に粗面が形成され、及び／またはその内部は拡散性ビーズを包含する透明樹脂により構成され、ＬＥＤ基板４上の個々のＬＥＤ光源からの出射光を拡散して、照明光の空間的な輝度むらを低減する光学的作用を有する。シェード７も拡散性を有する透明樹脂で構成されており、拡散板５からの光をさらに拡散するような光学的作用を有する。またシェード７は、照明装置の照射面側のカバーとして、パッキン６を介してベースシャーシ（筐体）２に取り付けられ、これにより装置内部のＬＥＤ光源等が保護される。ベースシャーシ２の１つの側面の外側には通常用電源の電源基板を収納する電源カバー８が取り付けられ、またベースシャーシ２の背面側であって電源カバー８の近傍には、停電用電源の電源基板を収納する電源カバー９が取り付けられている。
【００１２】
図３は、ＬＥＤ基板の取り付け構造図である。本例では、照射面側（図では紙面上側）に開口を向けた箱状（あるいは枡形状）のベースシャーシ２の内側に反射シート３を敷設し、その上に２枚のＬＥＤ基板４ａ，４ｂを並べて収納する。反射シート３は、図２にも示されるように、ベースシャーシ２の４つの側面及び底面の内側を覆うような形状（すなわち箱状あるいは枡形状）となるように折り曲げられている。ＬＥＤ基板４ａ，４ｂには、複数のＬＥＤ光源１０とこれを駆動するドライバー回路１１、および電源部に接続するコネクタ１２を実装している。ＬＥＤ基板４ａ，４ｂの上方には、スペーサ１４を介して拡散板５を固定ネジ１３で取り付ける。ＬＥＤ光源１０はサイドビュー（側面発光）型の素子であり、ＬＥＤ基板４ａ，４ｂの面または拡散板５の面とほぼ平行な方向に光が出射される。なお、ベースシャーシ２の内面に高反射率のインク（白色インク）が塗装されている場合は、反射シート３を省略することができる。また、ＬＥＤ基板４ａ，４ｂのＬＥＤ光源１０の実装面には高反射率のインク（白色インク）が塗装されている。これにより、ＬＥＤ光源１０からＬＥＤ基板４ａ，４ｂに向かう光、及び拡散板５により反射されてＬＥＤ基板４ａ，４ｂに向かう光を効率よく反射して、拡散板５の方向に導く。高反射率のインクに代えて、ＬＥＤ基板４ａ，４ｂのＬＥＤ光源１０の実装面に反射シートを載置してもよい。
【００１３】
図４は、拡散板５の効果を説明する図である。サイドビュー型のＬＥＤ光源１０から出射された光１００は、ＬＥＤ基板４のＬＥＤ光源実装面と拡散板５の間で反射を繰り返して伝播する。拡散板５に入射した光は拡散板５の中で拡散され、破線のように各方向に向かう出射光となってシェード７に到達する。そして、シェード７によってさらに光が拡散されて外部へ照射される。その結果、シェード７面からは照度ムラのない照明光が得られる。なお、ＬＥＤ基板４からシェード７までの間隔が大きい時は、個々のＬＥＤ光源１０の出射光は点光源でなく面光源に近づいて見えるので、拡散板５を省略することができる。かかる構成において、照明装置の照射面側から見たときに、ＬＥＤ光源１０の位置近傍が他の部分と比べて局所的に明るくなる、いわゆるホットスポットと呼ばれる現象が発生する場合がある。このホットスポットの輝度が高く目立ち易い場合には、拡散板５のＬＥＤ光源１０と対応する位置に図示しない遮光パターンを設けてもよい。これにより、ＬＥＤ光源１０の位置近傍の明るさを低減してホットスポットを抑制することができる。
【００１４】
図５は、ＬＥＤ基板内の回路構成図である。本実施例のＬＥＤ照明装置では、通常時照明と停電時照明を行うため、通常灯電源２０と停電灯電源（バッテリー）２１を備える。通常時照明では、２つのＬＥＤ基板４ａ，４ｂへの電力供給はデイジーチェーン接続としている。すなわち、通常灯電源２０から第１のＬＥＤ基板４ａの入力端子（コネクタ）に電力を供給し、第１のＬＥＤ基板４ａの出力端子からは第２のＬＥＤ基板４ｂの入力端子に電力を供給する。さらにＬＥＤ基板の数が増加した場合も同様に接続する。通常灯電源２０から第１のＬＥＤ基板４ａ及び第２のＬＥＤ基板４ｂに電力を供給するラインとともに、制御信号を伝送するためのデータラインを設け、図示しない制御回路からデータラインにより第１のＬＥＤ基板４ａ及び第２のＬＥＤ基板４ｂに制御信号、例えばＬＥＤ光源１０の明るさを制御するための信号を供給するようにしてもよい。このデータラインについても、電源と同様にデイジーチェーン接続とする。
【００１５】
２つのＬＥＤ基板４ａ，４ｂは、それぞれ、通常灯電源２０から電力が供給され通常時照明を行う通常灯回路２２ａ，２２ｂを有している。さらに本実施例では、第１のＬＥＤ基板４ａには、停電灯電源２１から電力が供給され停電時照明を行う停電灯回路２２ｃを有している。本実施例では停電灯回路２２ｃを第１のＬＥＤ基板４ａのみに設けているが、必要に応じ第１のＬＥＤ基板４ａ及び第２のＬＥＤ基板４ｂの両方に設けてもよい。
【００１６】
通常時において、通常灯電源２０は各通常灯回路２２ａ，２２ｂに電源を供給する。各通常灯回路２２ａ，２２ｂは、それぞれ、電源入力部に挿入した過電流遮断用ヒューズ２３ａ，２３ｂ、ドライバー回路２４ａ，２４ｂ及び通常灯用ＬＥＤ１０ａ，１０ｂを有している。通常灯電源２０からの電力は、ヒューズ２３ａ，２３ｂを介してドライバー回路２４ａ，２４ｂに供給され、ドライバー回路２４ａ，２４ｂは、この電力に基づいて通常灯用ＬＥＤ１０ａ，１０ｂに対してＬＥＤ駆動用電流を供給し、通常灯用ＬＥＤ１０ａ，１０ｂを点灯させる。この駆動電流は例えばＰＷＭ信号とし、そのデューティ比を上述の制御信号で制御することで、通常灯用ＬＥＤ１０ａ，１０ｂからの光の明るさを制御するようにしてもよい。
【００１７】
災害等により停電が生じた場合、すなわち通常灯電源２０から電力が供給されなくなった場合には、停電灯電源２１から停電灯回路２２ｃへの電力供給が開始される。停電灯回路２２ｃは、ドライバー回路２４ｃと停電灯用ＬＥＤ１０ｃを有しており、ドライバー回路２４ｃは停電灯電源２１からの電力に基づき停電灯用ＬＥＤ１０ｃにＬＥＤ駆動用電流を供給し、停電灯用ＬＥＤ１０ｃを点灯させる。なお、停電灯用ＬＥＤ１０ｃの個数は、通常灯用ＬＥＤ１０ａまたは１０ｂよりも少なくなっており、点灯時において例えばエレベータ室内の場合、床面付近において１ルクス程度の明るさを確保できる個数であればよい。
【００１８】
このように、停電灯回路２２ｃは通常灯回路２２ａ，２２ｂとは電気的に独立して構成している。すなわち、第１のＬＥＤ基板４ａにおいて、停電灯回路２２ｃ（あるいはドライバー回路２４ｃ）は通常灯回路２２ａ（あるいはドライバー回路２４ａ）と独立して停電灯電源２１に接続される。これにより、停電灯回路２２ｃと通常灯回路２２ａは互いに影響を受け合うことがなく、停電発生時において停電灯を確実に点灯させることができる。
【００１９】
さらに本実施例では通常灯回路２２ａ，２２ｂにおいて、電源入力部にヒューズ２３ａ，２３ｂを挿入している。デイジーチェーン接続構成においてヒューズ２３ａ，２３ｂがない場合、複数の通常灯回路２２ａ，２２ｂのうち１つの回路が故障すると、他の回路の動作まで影響が及ぶことがある。この場合の故障モードとして、ドライバー回路２４ａ及び通常灯用ＬＥＤ１０ａを含む系統、またはドライバー回路２４ｂ及び通常灯用ＬＥＤ１０ｂを含む系統が、オープン（すなわち断線）となる場合とショート（すなわち短絡）となる場合が想定される。例えばドライバー回路２４ａ及び通常灯用ＬＥＤ１０ａを含む系統がオープンになった時、通常灯ＬＥＤ１０ａは不点灯となるが、他の通常灯回路２２ｂの通常灯ＬＥＤ１０ｂは正常に点灯する。ところが、ドライバー回路２４ａ及び通常灯用ＬＥＤ１０ａを含む系統がショートになった時には、当該系統に過大電流が流れ、ドライバー回路２４ｂ及び通常灯用ＬＥＤ１０ｂを含む系統には電流が流れなくなる。その結果、通常灯ＬＥＤ１０ａが不点灯となるだけでなく、通常灯ＬＥＤ１０ｂも不点灯になってしまう。
【００２０】
一方、本実施例では、第１のＬＥＤ基板４ａ及び第２のＬＥＤ基板４ｂの電源入力部に過電流遮断用ヒューズ２３ａ，２３ｂを挿入しているので、例えばドライバー回路２４ａ及び通常灯用ＬＥＤ１０ａを含む系統がショートになった場合は、当該系統への過大電流によりヒューズ２３ａが切断することで、当該系統のショート状態が解消される。このため、ドライバー回路２４ａ及び通常灯用ＬＥＤ１０ａを含む系統がショートになった場合でも、ドライバー回路２４ｂ及び通常灯用ＬＥＤ１０ｂを含む系統には継続して電流が供給され、通常灯用ＬＥＤ１０ｂを点灯させることができる。よって、本実施例によれば、一方の通常灯回路２２ａが故障しても他方の通常灯回路２２ｂは正常に点灯動作させることができ、故障の影響を最小限に留めることができる。
【００２１】
図６は、複数のＬＥＤ素子の接続構成の他の例を示す図である。図５で示したように、ＬＥＤ基板４ａにおいて、停電灯回路２２ｃ（あるいはドライバー回路２４ｃ）は通常灯回路２２ａ（あるいはドライバー回路２４ａ）と独立して停電灯電源２１に接続したが、ＬＥＤ光源１０については一部のＬＥＤ素子を共有するように構成することができる。例えば図６に示されるように、複数のＬＥＤを直列接続して通常灯用ＬＥＤ１０ａを構成し、その一部を停電灯用ＬＥＤ１０ｃとする。通常灯電源２０側のドライバー回路２４ａからの駆動用電流は、直列接続された通常灯用ＬＥＤ１０ａの最後段のアノード側に供給される。また、この例でも停電灯用ＬＥＤ１０ｃの個数は通常灯用ＬＥＤ１０ａよりも少なくしている。そして、停電灯用ＬＥＤ１０ｃと通常灯用ＬＥＤ１０ａとの接続部（図６の例では右から２番目のＬＥＤと３番目のＬＥＤとの間）に、停電灯電源２１側のドライバー回路２４ｃからの駆動用電流を供給する。このように構成することにより、通常時は、直列接続された通常灯用ＬＥＤ１０ａの全ＬＥＤに通常灯電源２０側から電流が供給されて点灯し、非常時（停電時）は、停電灯用ＬＥＤ１０ｃ（図６の例では右側２個のＬＥＤ）に停電灯電源２１側から電流が供給されて点灯する。
【００２２】
このように本例では、停電灯用ＬＥＤ１０ｃは使用する個数が少なくてよいので、通常灯用ＬＥＤ１０ａの一部を兼用して使用するようにしている。そしてこの構成によれば、停電灯用ＬＥＤを別に設けることがないので、全体のＬＥＤ素子数を低減することができる。
【００２３】
図７は、ＬＥＤ光源の第１の配置例を示す図であり、ＬＥＤ基板を照明装置の照射面側から見た図である。この例では、ＬＥＤ基板４ａ，４ｂ上には、それぞれ通常灯用ＬＥＤ１０ａ，１０ｂを３×５＝１５個ずつ、照射面内でほぼ均等の位置に配置している。そして各ＬＥＤの出射方向は図面左方向に揃えている。さらにＬＥＤ基板４ａ上には、停電灯用ＬＥＤ１０ｃを２個配置している。その際停電灯用ＬＥＤ１０ｃは、照射面の中央ではなくベースシャーシの側面の壁側位置（図７では左端側）に、その出射方向がその直近の壁側を向くように配置している。停電灯用ＬＥＤ１０ｃの位置は、通常灯用ＬＥＤ１０ａの光出射方向において、最もベースシャーシの側面に近い位置に配置された通常灯用ＬＥＤ１０ａよりもさらにベースシャーシの側面側に位置している。また停電灯用ＬＥＤ１０ｃの紙面上下方向（通常灯用ＬＥＤ１０ａの光出射方向と直交する方向であって、通常灯用ＬＥＤ１０ａの配列方向）位置は、通常灯用ＬＥＤ１０ａの間に配置している。図中の矢印は、各ＬＥＤ光源からの出射方向を示す。
【００２４】
図７（ａ）は通常時の点灯状態を示し、全ての通常灯用ＬＥＤ１０ａ，１０ｂが点灯し、各ＬＥＤからの出射光はＬＥＤ基板４ａ，４ｂの基板面で反射して照明光となる。一般にＬＥＤ光源の発光特性は球状（ランバーシアン）となるが、停電灯用ＬＥＤ１０ｃを通常灯用ＬＥＤ１０ａの間に配置しているので、停電灯用ＬＥＤ１０ｃが通常灯用ＬＥＤ１０ａからの出射光を妨げることを防止している。この例では、通常時には停電灯用ＬＥＤ１０ｃを点灯させないものとしたが、通常灯用ＬＥＤ１０ａ，１０ｂとともに点灯させてもよい。
【００２５】
図７（ｂ）、（ｃ）は停電時の点灯状態を示し、停電灯用ＬＥＤ１０ｃのみが点灯する。停電灯用ＬＥＤ１０ｃは壁側に配置しているので、中央に配置する場合よりも照明光の照度を向上させることができる。その理由を（ｃ）で説明する。停電灯用ＬＥＤ１０ｃの出射光１０１は、大部分がベースシャーシ２の側面の内壁で反射して照明光となる。ベースシャーシ２の側面の内壁には図示のように反射率の高い（９９％）反射シート３を取り付けているので、反射率の低い（８０％以下）白色インクで塗装されたＬＥＤ基板４ａ，４ｂのＬＥＤ実装面で反射させるよりも明るい照明光が得られる。また、壁側に配置することで、停電灯用ＬＥＤ１０ｃが点光源として見えにくくする効果がある。
【００２６】
図８は、ＬＥＤ光源の第２の配置例を示す図である。ＬＥＤ基板４ａ，４ｂ上には、図７と同様に通常灯用ＬＥＤ１０ａ，１０ｂを配置するが、ここではその出射方向を右方向に揃えている（これを順方向ＬＥＤ群と呼ぶ）。さらにＬＥＤ基板４ａ上には、左壁側の位置で順方向ＬＥＤ群に挟まれた位置に、出射方向が左方向（逆方向）のＬＥＤを紙面上下方向（通常灯用ＬＥＤ１０ａの光出射方向と直交する方向であって、通常灯用ＬＥＤ１０ａの配列方向）に１列に並べた逆方向ＬＥＤ列１０ｄを挿入している。逆方向ＬＥＤ列１０ｄの紙面上下方向の位置は、順方向ＬＥＤ群の紙面上下方向位置と重ならないようずらして配置する。この逆方向ＬＥＤ列１０ｄは図６の回路により構成されており、通常灯用ＬＥＤ１０ａとともに通常灯として用いるが、その一部のＬＥＤ１０ｃは停電灯として兼用する。
【００２７】
図８（ａ）は通常時の点灯状態を示し、全てのＬＥＤ１０ａ，１０ｂ，１０ｄ（１０ｃを含む）が点灯する。このうち、順方向ＬＥＤ１０ａ，１０ｂは右方向に、逆方向ＬＥＤ列１０ｄは左方向に出射する。このような構成としたのは、全てのＬＥＤの出射方向を同一方向（右方向）とした場合、照射面内で出射方向の反対側にある左壁近傍の照度が暗くなるからである。そこで、出射方向が反対（左方向）となる逆方向ＬＥＤ列１０ｄを挿入して左壁近傍の照度不足を補い、照射面内の照度を均一にすることができる。
【００２８】
図８（ｂ）は停電時の点灯状態を示し、逆方向ＬＥＤ列１０ｄのうちＬＥＤ１０ｃのみを停電灯として点灯する。停電灯用ＬＥＤ１０ｃは壁側に配置されているので、図７（ｃ）と同様に、反射シート３で反射されることで明るい照明光が得られる。なお、停電灯用ＬＥＤ１０ｃの出射側には一部の通常灯用ＬＥＤ１０ａの列が存在するが、互いに重ならないようずらして配置されているので出射光を妨げることはない。
【００２９】
本例の場合、逆方向ＬＥＤ列１０ｄは５個のＬＥＤを有するが、停電灯用ＬＥＤ１０ｃとして用いるのは最低限の明るさを確保するために３個としている。これにより、停電時の電力消費を抑え、停電用電源（バッテリー）の電力を有効に利用することができる。
【００３０】
上記実施例では一例を述べたものであり、様々な変形が可能である。ＬＥＤ基板（照明ユニット）の数やこれに実装するＬＥＤ光源の数は、照明面積や要求照度に応じて適宜決定すればよい。また、ＬＥＤ基板を分割して隙間をあけ、ＬＥＤ光を隙間の下側に設けた反射シートにて反射させる構成も可能である。ドライバー回路は、ＬＥＤ光源のＯＮ／ＯＦＦ切替だけでなく、外部装置から照明制御信号を与えてＬＥＤ光源の発光強度を制御することも可能である。
【符号の説明】
【００３１】
１…ＬＥＤ照明装置、
２…ベースシャーシ（筐体）、
３…反射シート、
４，４ａ，４ｂ…ＬＥＤ基板（照明ユニット）、
５…拡散板、
６…パッキン、
７…シェード、
８，９…電源カバー、
１０…ＬＥＤ光源、
１０ａ，１０ｂ…通常灯用ＬＥＤ、
１０ｃ…停電灯用ＬＥＤ、
１０ｄ…逆方向ＬＥＤ列、
１１，２４ａ，２４ｂ，２４ｃ…ドライバー回路、
１２…コネクタ、
２０…通常灯電源、
２１…停電灯電源、
２２ａ，２２ｂ…通常灯回路、
２２ｃ…停電灯回路、
２３ａ，２３ｂ…過電流遮断用ヒューズ。
【図１】
2014089888.tif 000003
【図２】
2014089888.tif 000004
【図３】
2014089888.tif 000005
【図４】
2014089888.tif 000006
【図５】
2014089888.tif 000007
【図６】
2014089888.tif 000008
【図７】
2014089888.tif 000009
【図８】
2014089888.tif 000010